(57)【要約】【課題】使用済みのカートンを容易に解体することができる衛生用紙収納用カートンを提供する。【解決手段】本発明の衛生用紙収納用カートン１は、上面２、底面４、一対の側面６、及び一対の妻面８を有する形状に折り曲げられ、これらの面によって区画された、衛生用紙を収納し得る内部空間が形成された箱状をなすとともに、衛生用紙の取出口を形成するための取出口形成用切込線１４が形成されたカートン本体１６を備え、カートン本体１６に、底面４と一の側面６ａとの稜線３６ａにおける両端点を起点ａ，ａ’とし、底面４に形成された起点ａ，ａ’を繋ぐ第１の解体用切込線４４と、底面４と他の側面６ｂとの稜線における両端点を起点ｂ，ｂ’とし、底面４に形成された起点ｂ，ｂ’を繋ぐ第２の解体用切込線４５と、が形成されている。【選択図】図１
2008273532.tif 000002
【特許請求の範囲】
【請求項１】
上面、底面、一対の側面、及び一対の妻面を有する形状に折り曲げられ、これらの面によって区画された、衛生用紙を収納し得る内部空間が形成された箱状をなすとともに、前記衛生用紙の取出口を形成するための取出口形成用切込線が形成されたカートン本体を備え、
前記カートン本体に、前記底面と一の側面との稜線における両端点を起点ａ，ａ’とし、前記底面に形成された前記起点ａ，ａ’を繋ぐ第１の解体用切込線と、前記底面と他の側面との稜線における両端点を起点ｂ，ｂ’とし、前記底面に形成された前記起点ｂ，ｂ’を繋ぐ第２の解体用切込線と、が形成されている衛生用紙収納用カートン。
【請求項２】
前記第１の解体用切込線及び／又は前記第２の解体用切込線は、前記起点からの少なくとも一部分が曲線状に形成されたものである請求項１に記載の衛生用紙収納用カートン。
【請求項３】
前記妻面が、前記上面の端縁から稜線を介して延出された上面外フラップと、前記底面の端縁から稜線を介して延出された底面外フラップとが接合されて形成されており、
前記底面外フラップは、その先端に前記上面外フラップとの接合代が付設され、その接合代と前記底面外フラップとの間には第３の解体用切込線が形成されており、前記底面には、前記底面と一の妻面との稜線上における二点ｃ，ｄを繋ぐ押込み用切込線が形成され、前記底面外フラップには、前記二点ｃ，ｄを起点とし、前記第３の解体用切込線に達する第４の解体用切込線が形成されている請求項１又は２に記載の衛生用紙収納用カートン。
【請求項４】
一対の前記側面のそれぞれの端縁から稜線を介して延出された内フラップを更に備え、前記内フラップが妻面側に折り曲げられて、その表面に、前記底面外フラップと前記上面外フラップとが順次折り重ねられて接合されており、
前記内フラップは、その表面の一部が突出した突出部を有し、前記突出部は、前記内フラップの表面に重ねられた前記底面外フラップの前記接合代に直線状に配置され、前記底面外フラップの前記接合代と前記内フラップの前記突出部とが、前記上面外フラップに対する接合部を形成している請求項３に記載の衛生用紙収納用カートン。
【請求項５】
前記取出口を前記カートン本体の内側から被覆するように配置され、前記衛生用紙を取り出すためのスリットが形成されたウインドウフィルムを更に備えた請求項１〜４のいずれかに記載の衛生用紙収納用カートン。
【発明の詳細な説明】
【技術分野】
【０００１】
本発明は衛生用紙収納用カートンに関し、更に詳しくは、使用済みのカートンを容易に解体することが可能な衛生用紙収納用カートンに関する。
【背景技術】
【０００２】
一般に、家庭やオフィス等で広く使われているティシュペーパーは、概ね直方体の箱（以下、「カートン」ともいう）の内部空間に収納された形で市販されている（例えば、特許文献１及び２参照）。使用者は、ティシュペーパーを使用するに際し、箱の一面（通常は箱の上面）に設けられている所定形状のミシン目（取出口形成用切込線）を切り離すことによって、箱に細長い取出口を形成することができる。
【０００３】
例えば、特許文献１には、上記したカートンとして、図１３に示すようなティシュペーパー収納箱１２０が開示されている。このティシュペーパー収納箱１２０は、取出口１２４を有する上面１２１（天板）と、底面１２２（底板）と、一対の側面１２３（側板）とを備えている。上面１２１と底面１２２との一方の端縁には、一対の外フラップ１２５ａ，１２５ｂが折り曲げ線１２６ａ，１２６ｂを介して連接されており、他方の端縁も同様に一対の外フラップ１２５ａ，１２５ｂが折り曲げ線１２６ａ，１２６ｂを介して連接されている。この外フラップを接着剤ｇによって接着させることによりカートンの妻面が形成されている。
【０００４】
このティシュペーパー収納箱１２０を使用後に廃棄する際には、妻面にある外フラップ１２５ｂを、円弧状の解体用ミシン線１２８に沿って押し破り、挿入した指で外フラップ１２５ａを内側から外側に向かって引張ることによって、外フラップ１２５ａを外フラップ１２５ｂから引き剥がして解体を行うことができる。
【０００５】
また、このようなカートンとしては、例えば、予め、取出口を被覆するポリエチレンフィルム等のウインドウフィルムが箱の内側から貼着され、このウインドウフィルムの中央部に直線状のスリットが形成されたものが提案されている。使用者は、このウインドウフィルムのスリットを通して、内部空間に収納されたティシュペーパーを外部へ引き出して使用することができる。
【０００６】
ところで、１９９７年から「容器リサイクル法」が本格施行され、容器包装の廃棄物について、消費者の分別排出、自治体の分別収集、事業者のリサイクル責任が明確にされた。これを契機として、近年、循環型経済社会の構築に向けた動きが加速度的に進行しつつある。ティシュペーパー、キッチンペーパー等の衛生用紙の使用済みカートンについても、消費者に対して、上記したようなウインドウフィルムをカートン本体から引き剥がし、分別して廃棄することが求められている。
【０００７】
このようなことから、例えば、上面（天面板）に、ウインドウフィルムを上面の一部と一緒に切り取り可能な分離用ミシン目が形成されたカートン（包装箱）が開示されている（例えば、特許文献３参照）。このようなカートンは、上記した分離用ミシン目によって、取出口を被覆するウインドウフィルムごと上面の一部を切り離すことができる。
【０００８】
また、ティシュペーパーのカートンとしては、使用後のカートンをごみ入れ等の容器として使用することができるように、取出口を形成するための取出口形成用切込線の外周に、拡大孔穿孔用破断線が刻設されたカートン等が提案されている（例えば、特許文献４及び５参照）。
【０００９】
【特許文献１】特開２００２−２９５８０号公報
【特許文献２】特開２００３−２９２０７０号公報
【特許文献３】特開２０００−２８１１５５号公報
【特許文献４】実公昭６１−１４７７７１号公報
【特許文献５】実公昭５９−６９９６号公報
【発明の開示】
【発明が解決しようとする課題】
【００１０】
特許文献１及び２のカートンにおいては、妻面を形成する外フラップを切り離して妻面を開放させることは容易であるが、例えば、上記のウインドウフィルム等をカートンから引き剥がす際には、底面と側面との稜線（以下、「底面−側面稜線」ということがある）や、底面と側面と接合している接合代（側面接合代）を破いてカートンを展開しなければならず、例えば、年配者、子供、女性のような力の弱い者には、カートンの解体が困難であるという問題があった。
【００１１】
また、このようなカートンの底面−側面稜線又は側面接合代を破いてカートンを展開する場合には、側面接合代が配置される部位の紙材料の厚さが厚くなっているため、また、解体を行う者の個人差により、一対の妻面のうちのどちらの妻面側から破くかによって、破り易さ（即ち、解体し易さ）に差異が生じることがある。通常、カートンの妻面を開放させる際には、側面接合代の位置を確認してから、開放させる妻面を決めることはないため、例えば、破り難い側の妻面を開放させてしまい、カートンを解体する手間が増加してしまうという問題もあった。
【００１２】
一方、特許文献３のカートンは、上面の一部をウインドウフィルムとともにミシン目によって切り離すことができるため、ウインドウフィルムの引き剥がしがある程度は容易にはなるものの、上面の一部がカートンから完全に切り離されるものであるため、廃棄する紙材の点数が増えてしまい、廃棄の手間が増加してしまう。
【００１３】
また、特許文献４及び５のカートンは、使用済みのカートンを廃棄する方法については何ら考慮されておらず、カートンの解体が困難であるという問題があった。
【００１４】
本発明は、このような従来技術の有する問題点に鑑みてなされたものであり、使用済みのカートンを容易に解体することが可能な衛生用紙収納用カートンを提供する。
【課題を解決するための手段】
【００１５】
本発明者は上記課題を解決するために鋭意検討した結果、カートン本体に、底面と一の側面との稜線における端点を起点ａ，ａ’とし、前記底面に形成された前記起点ａ，ａ’を繋ぐ第１の解体用切込線と、前記底面と他の側面との稜線における端点を起点ｂ，ｂ’とし、前記底面に形成された前記起点ｂ，ｂ’を繋ぐ第２の解体用切込線と、を形成することによって、上記課題を達成することが可能であることを見出し、本発明を完成するに至った。即ち、本発明によれば、以下に示す衛生用紙収納用カートンが提供される。
【００１６】
［１］  上面、底面、一対の側面、及び一対の妻面を有する形状に折り曲げられ、これらの面によって区画された、衛生用紙を収納し得る内部空間が形成された箱状をなすとともに、前記衛生用紙の取出口を形成するための取出口形成用切込線が形成されたカートン本体を備え、前記カートン本体に、前記底面と一の側面との稜線における両端点を起点ａ，ａ’とし、前記底面に形成された前記起点ａ，ａ’を繋ぐ第１の解体用切込線と、前記底面と他の側面との稜線における両端点を起点ｂ，ｂ’とし、前記底面に形成された前記起点ｂ，ｂ’を繋ぐ第２の解体用切込線と、が形成されている衛生用紙収納用カートン。
【００１７】
［２］  前記第１の解体用切込線及び／又は前記第２の解体用切込線は、前記起点からの少なくとも一部分が曲線状に形成されたものである前記［１］に記載の衛生用紙収納用カートン。
【００１８】
［３］  前記妻面が、前記上面の端縁から稜線を介して延出された上面外フラップと、前記底面の端縁から稜線を介して延出された底面外フラップとが接合されて形成されており、前記底面外フラップは、その先端に前記上面外フラップとの接合代が付設され、その接合代と前記底面外フラップとの間には第３の解体用切込線が形成されており、前記底面には、前記底面と一の妻面との稜線上における二点ｃ，ｄを繋ぐ押込み用切込線が形成され、前記底面外フラップには、前記二点ｃ，ｄを起点とし、前記第３の解体用切込線に達する第４の解体用切込線が形成されている前記［１］又は［２］に記載の衛生用紙収納用カートン。
【００１９】
［４］  一対の前記側面のそれぞれの端縁から稜線を介して延出された内フラップを更に備え、前記内フラップが妻面側に折り曲げられて、その表面に、前記底面外フラップと前記上面外フラップとが順次折り重ねられて接合されており、前記内フラップは、その表面の一部が突出した突出部を有し、前記突出部は、前記内フラップの表面に重ねられた前記底面外フラップの前記接合代に直線状に配置され、前記底面外フラップの前記接合代と前記内フラップの前記突出部とが、前記上面外フラップに対する接合部を形成している前記［３］に記載の衛生用紙収納用カートン。
【００２０】
［５］  前記取出口を前記カートン本体の内側から被覆するように配置され、前記衛生用紙を取り出すためのスリットが形成されたウインドウフィルムを更に備えた前記［１］〜［４］のいずれかに記載の衛生用紙収納用カートン。
【発明の効果】
【００２１】
本発明の衛生用紙収納用カートンは、使用済みのカートンを容易に解体することができる。このため、例えば、年配者、子供、女性のような力の弱い者であってもカートンを容易に解体することができる。また、本発明の衛生用紙収納用カートンは、簡単に一枚の平面状にまで展開することができるため、例えば、カートン本体の内側に貼り付けられたウインドウフィルムを容易に引き剥がすことができ、分別廃棄を容易に行うことができる。
【発明を実施するための最良の形態】
【００２２】
以下、本発明を実施するための最良の形態について説明するが、本発明は以下の実施形態に限定されるものではない。即ち、本発明の趣旨を逸脱しない範囲で、当業者の通常の知識に基づいて、以下の実施形態に対し適宜変更、改良等が加えられたものも本発明の範囲に属することが理解されるべきである。
【００２３】
［１］衛生用紙収納用カートン：
本発明の衛生用紙収納用カートンは、例えば、図１及び図２に示す衛生用紙収納用カートン１のように、上面２、底面４、一対の側面６（６ａ，６ｂ）、及び一対の妻面８を有する形状に折り曲げられ、これらの面によって区画された、衛生用紙を収納し得る内部空間が形成された箱状をなすとともに、上記した上面２に、前記衛生用紙の取出口を形成するための取出口形成用切込線１４が形成されたカートン本体１６を備えたものであり、カートン本体１６に、底面４と一の側面６ａとの稜線３６（３６ａ）における両端点を起点ａ，ａ’とし、底面４に形成された前記起点ａ，ａ’を繋ぐ第１の解体用切込線４４と、底面４と他の側面６ｂとの稜線３６（３６ｂ）における両端点を起点ｂ，ｂ’とし、底面４に形成された前記起点ｂ，ｂ’を繋ぐ第２の解体用切込線４５と、が形成されている衛生用紙収納用カートン１である。
【００２４】
ここで、図１は、本発明の衛生用紙収納用カートンの一の実施形態を示す斜視図であり、カートン本体の底面を上に向けた図であり、図２は、本発明の衛生用紙収納用カートンの一の実施形態を示す斜視図であり、カートン本体の上面を上に向けた図である。
【００２５】
このような衛生用紙収納用カートンは、例えば、年配者、子供、女性のような力の弱い者であっても、使用済みのカートンを容易に解体することができる。また、本発明の衛生用紙収納用カートンは、カートンの底面と一方の側面とを切り離して一枚の平面状にまで簡単に展開することができるため、例えば、カートン本体の内側にウインドウフィルムが貼り付けられている場合には、このウインドウフィルムを容易に引き剥がすことができ、分別廃棄を容易に行うことができる。
【００２６】
また、本発明の衛生用紙収納用カートンは、底面と一対の側面との各稜線（以下、「底面−側面稜線」ということがある）における両端点から、二本の解体用切込線が形成されているため、例えば、一対の妻面のうち無作為に一方の妻面のみを開放させた場合であっても、底面と側面とを接合する接合代の位置によらず、カートンの解体を簡単に行うことができる。また、解体を行う者（以下、「解体者」ということがある）の利き手や、個人差によらず、どちらの方向からでも簡単に解体を行うことができる。
【００２７】
［１−１］カートン本体：
「カートン本体」とは、上面、底面、一対の側面、及び一対の妻面を有する形状に折り曲げられ、これらの面によって区画された、衛生用紙を収納し得る内部空間が形成された箱状をなすとともに、前記衛生用紙の取出口を形成するための取出口形成用切込線が形成された箱体である。
【００２８】
［１−１Ａ］箱状：
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１及び図２に示す衛生用紙収納用カートン１は、カートン本体１６の側面６側を長辺、妻面８側を短辺とする直方体状にカートン本体１６を構成した例である。なお、これらの形状において、二つの面の稜線部分を面取りしたものも、本明細書にいう「箱状」に含まれる。
【００２９】
「カートン本体」は、例えば、紙材料等からなる展開型のカートンを折り曲げることによって、上面、底面、一対の側面、及び一対の妻面を有する形状に形成される。図３に示す展開型のカートン１００は、一枚の紙材料によって、折り曲げ線を介して上面２、底面４、一対の側面６が形成されており、側面６の端縁からは、折り曲げ線を介して内フラップ２６が延出されている。
【００３０】
また、上面２の端縁からは、折り曲げ線を介して上面外フラップ２８が延出されており、これと同様に、底面４の端縁からは、折り曲げ線を介して底面外フラップ３０が延出されている。更に、底面４の一の側縁部からは、折り曲げ線を介して、側面接合代３２が延出されており、底面外フラップ３０の先端には上面外フラップ２８との接合代である妻面接合代３４が付設されている。このような展開型のカートン１００は、各折り曲げ線を折り曲げ、側面接合代３２と側面６ａを接合した後、妻面接合代３４と上面外フラップ２８を接合することで、一対の妻面８（図１参照）を形成することができる。こうすることにより、展開型のカートン１００を、図１及び図２に示すような衛生用紙収納用カートン１とすることができる。
【００３１】
本発明の衛生用紙収納用カートンにおいては、上記したように底面と一の側面との稜線における両端点を起点ａ，ａ’とし、前記底面に形成された前記起点ａ，ａ’を繋ぐ第１の解体用切込線と、前記底面と他の側面との稜線における両端点を起点ｂ，ｂ’とし、前記底面に形成された前記起点ｂ，ｂ’を繋ぐ第２の解体用切込線と、が形成されている。
【００３２】
このようなカートンは、使用後の空のカートンを廃棄する際に、側面と底面を切り離すことによって、カートンを容易に解体することが可能である。このため、取出口をカートン本体の内側から被覆するように配置され、衛生用紙を取り出すためのスリットが形成されたウインドウフィルムを更に備えたカートンを廃棄する際には、ウインドウフィルムの引き剥がしが容易になる。このため、カートンの解体、ウインドウフィルムの引き剥がしという一連の操作が一層容易かつ簡便なものとなる。
【００３３】
例えば、図１及び図２に示す衛生用紙収納用カートン１は、カートン本体１６を、底面４と一の側面６ａとの稜線３６ａにおける両端点を起点ａ，ａ’とし、底面４に形成された第１の解体用切込線４４と、底面４と他の側面６ｂとの稜線３６ｂにおける両端点を起点ｂ，ｂ’とし、底面４に形成された第２の解体用切込線４５と、が形成されたものとした例である。
【００３４】
また、本発明の衛生用紙収納用カートンにおいては、上面の端縁から稜線を介して延出された上面外フラップと、底面の端縁から稜線を介して延出された底面外フラップとが接合されて妻面が形成されていることが好ましい。なお、上記した上面外フラップと底面外フラップとによって妻面が形成されている場合には、底面外フラップは、その先端に上面外フラップとの接合代（妻面接合代）が付設されていることが更に好ましい。
【００３５】
更に、上記したように、底面外フラップの先端に上面外フラップとの妻面接合代が付設されている場合には、その妻面接合代と底面外フラップとの間には第３の解体用切込線が形成されており、且つ底面には、底面と一の妻面との稜線上における二点を繋ぐ押込み用切込線が形成され、底面外フラップには、上記二点を起点とし、第３の解体用切込線に達する第４の解体用切込線が形成されていることが更に好ましい。
【００３６】
このように第３の解体用切込線、押込み用切込線、及び第４の解体用切込線（以下、これらの切込線を「妻面解体用切込線」ということがある）が形成された衛生用紙収納用カートンは、側面と底面を切り離すのみならず、妻面を形成している上面外フラップと底面外フラップとを切り離すことができる。従って、カートンを更に容易に解体して平面状に展開することができ、年配者、子供、女性のような力の弱い者であっても容易にカートンを解体することが可能となる。即ち、本発明の衛生用紙収納用カートンの第１の解体用切込線及び第２の解体用切込線の構成と相俟って、衛生用紙収納用カートンの解体を更に容易に行うことができるようになる。
【００３７】
例えば、図１〜図３に示す衛生用紙収納用カートン１は、上面２の端縁から稜線を介して延出された上面外フラップ２８と、底面４の端縁から稜線を介して延出された底面外フラップ３０とを備えている。そして、底面外フラップ３０は、その先端に上面外フラップ２８との接合代である妻面接合代３４が付設され、上面外フラップ２８と底面外フラップ３０とは妻面接合代３４を介して接合されて妻面８が形成されており、その妻面接合代３４と底面外フラップ３０との間には第３の解体用切込線４６が形成されている。また、カートン本体１６の底面４には、底面４と一の妻面８との稜線上における二点ｃ，ｄを繋ぐ押込み用切込線４８が形成され、底面外フラップ３０には、二点ｃ，ｄを起点とし、第３の解体用切込線４６に達する第４の解体用切込線５０が形成されている例である。
【００３８】
図１〜図３に示す衛生用紙収納用カートン１は、例えば、図４及び図５に示すような方法により解体することができる。図４に示すように、まず、少なくとも一方の妻面８を開放させる。具体的には、押込み用切込線４８（図１参照）の内側部分を親指で押圧して押し破ると、これに伴って第４の解体用切込線５０（図１参照）及び第３の解体用切込線４６（図１参照）も破断され、上面外フラップ２８と底面外フラップ３０とを切断することができる。
【００３９】
次いで、開放された妻面側から、第１の解体用切込線４４（図１参照）又は第２の解体用切込線４５（図１参照）のうち、解体者が破断させ易い方の切込線（図４においては、第１の解体用切込線４４）を破断させて底面４と側面６とを切断することができる。
【００４０】
こうすることにより、上面外フラップ２８、底面外フラップ３０、側面６及び底面４を外側に向かって切り開くことができ、図５に示すように、衛生用紙収納用カートン１を平面状に展開させた状態に解体することができる。この状態であれば、ウインドウフィルム２０を極めて容易に引き剥がすことが可能である。
【００４１】
なお、図４においては、まず、一対の妻面の両方を開放させ、その後、解体者が破断させ易い方の切込線（第１の解体用切込線４４）を破断させて底面４と側面６ａとを切断する方法を示しているが、例えば、図６に示すように、まず、一対の妻面のうちの一方のみを上記した方法と同様にして開放させ、その後、解体者の一方の手（主に、利き手とは反対側の手）で破断させる切込線（第１の解体用切込線４４及び第２の解体用切込線４５のうちの一方の切込線であり、図６においては、第１の解体用切込線４４）に近い側の側面６を掴んでカートン本体１を固定し、もう一方の手（主に、利き手）で第１の解体用切込線４４近傍の底面４を掴み、掴んだ底面４を手前に引き寄せるようにして第１の解体用切込線４４を破断させる。その後、開放されていない側の妻面を開放させることによって、衛生用紙収納用カートンを平面状に展開させた状態に解体することができる。なお、この第１の解体用切込線と第２の解体用切込線とは、カートン本体の底面に形成されているため、使用中に誤って切込線が破断されるようなことはない。
【００４２】
また、図示は省略するが、例えば、第１の解体用切込線と第２の解体用切込線との両方の切込線を破断させることによって衛生用紙収納用カートンの解体を行ってもよい。この場合には、例えば、まず、上記方法と同様に、少なくとも一方の妻面を開放させる。次に、開放された妻面側の底面外フラップを掴み、この底面外フラップを手前に引き寄せるようにして、第１の解体用切込線及び第２の解体用切込線の両方を破断させて、カートン本体から底面を引き剥がしてカートンを解体する。
【００４３】
本発明の衛生用紙収納用カートンは、上面、底面、一対の側面、及び一対の妻面によって区画された内部空間が形成される。この内部空間は、衛生用紙を収納するための空間である。この内部空間に収納する衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００４４】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取出しが容易なものとなる利点がある（いわゆるポップアップ方式）。
【００４５】
本発明の衛生用紙収納用カートンを構成する材質について特に制限はない。但し、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００４６】
［１−２］第１の解体用切込線、及び第２の解体用切込線：
第１の解体用切込線は、カートン本体の底面と一の側面との稜線における両端点を起点ａ，ａ’とし、底面に形成された解体用の切込線であり、第２の解体用切込線は、カートン本体の底面と他の側面との稜線における両端点を起点ｂ，ｂ’とし、底面に形成された解体用の切込線である。
【００４７】
なお、本発明の衛生用紙収納用カートンにおいては、第１の解体用切込線、及び第２の解体用切込線は、上記した各稜線の両端点をそれぞれの起点とし、底面に形成されたものであれば、その形状について特に制限はないが、前記起点からの少なくとも一部分が曲線状に形成されたものであることが好ましい。
【００４８】
衛生用紙収納用カートンを解体する際には、少なくとも一方の妻面を開放させた後、解体者の一方の手で破断させる切込線に近い側の側面を掴み、もう一方の手で切込線近傍の底面を掴んで、この掴んだ底面を手前に引き寄せるようにして上記切込線を破断させる。
【００４９】
このようにして切込線を破断させる際には、解体者の手首の動きにより、切込線を境にして、手前（解体者側）に引き寄せられる底面が僅かに捩れるような応力が発生する。このため、切込線の起点から所定の範囲においては、切込線の形状を直線状とするよりも、上記した底面が捩れるような応力が有効に作用するように、起点からの少なくとも一部分の切込線を曲線状とすることが好ましい。このように構成することによって、外部から加えられる応力を切込線に沿うように誘導することができ、切込線から逸れることなく良好に切込線を破断させることができる。
【００５０】
例えば、図１に示す衛生用紙収納用カートン１においては、第１の解体用切込線４４及び第２の解体用切込線４５のうちの少なくとも一方が、それぞれの起点からの一定範囲までが曲線状であり、その中間部分については直線状の切込線によって構成された例を示している。
【００５１】
上記したように、第１の解体用切込線及び第２の解体用切込線のうちの少なくとも一方は、それぞれの起点からの一定範囲までを曲線状とし、その中間部分については直線状としたものであってもよいが、例えば、一方の起点から他方の起点を繋ぐ全ての部分が円弧状の曲線によって構成されたものであってもよい。例えば、図７に示す衛生用紙収納用カートン１においては、第１の解体用切込線４４が、底面４と一の側面６ａとの一の底面−側面稜線３６ａにおける両端点を起点ａ，ａ’とし、前記起点ａ，ａ’を繋ぐ円弧状の曲線によって構成されたものであり、第２の解体用切込線４５が、底面４と他の側面６ｂとの他の底面−側面稜線３６ｂにおける両端点を起点ｂ，ｂ’とし、前記起点ｂ，ｂ’を繋ぐ円弧状の曲線によって構成されたものである。ここで、図７は、本発明の衛生用紙収納用カートンの他の実施形態を示す斜視図であり、カートン本体の底面を上に向けた図である。なお、図７において、図１に示す衛生用紙収納用カートンの各要素と同様に構成されているものについては、同一の符号を付して説明を省略する。
【００５２】
なお、本発明の衛生用紙収納用カートンにおける第１の解体用切込線及び第２の解体用切込線のうちの少なくとも一方は、上記した稜線（底面−側面稜線）における両端点を起点とし、これらの起点を繋ぐように、カートン本体の底面に形成されているものであれば、一以上の折れ曲がり点を有する直線状の切込線であってもよい。
【００５３】
例えば、図８に示す衛生用紙収納用カートン１においては、第１の解体用切込線４４と第２の解体用切込線４５が、二つの折れ曲がり点を有する直線状の切込線の場合の例を示している。この切込線４４，４５は、底面−側面稜線が下底となるような台形形状の切込線である。ここで、図８は、本発明の衛生用紙収納用カートンの他の実施形態を示す斜視図であり、カートン本体の底面を上に向けた図である。なお、図８において、図１に示す衛生用紙収納用カートンの各要素と同様に構成されているものについては、同一の符号を付して説明を省略する。
【００５４】
また、図示は省略するが、第１の解体用切込線及び第２の解体用切込線のうちの少なくとも一方は、上記した底面−側面稜線における両端点を起点とし、これらの起点を繋ぐように、底面−側面稜線上に形成されていてもよいし、また、この底面−側面稜線に隣接するように底面上に形成されていてもよい。
【００５５】
また、このような第１の解体用切込線や第２の解体用切込線は、直線状の切れ目（スリット）であってもよいし、部分的につながりを有するミシン目状のものであってもよい。また、包装業界でジッパーと呼称されている切れ目が鉤形に屈曲した開封用破断線（包装産業の周知・慣用技術集第２８１頁参照、昭和５３年１２月２０日特許庁発行）や、二重線のミシン目であってもよい。例えば、図１〜図３に示す衛生用紙収納用カートン１は、一定の長さ間隔の切れ目（スリット）によって構成された切込線によって第１の解体用切込線４４及び第２の解体用切込線４５が構成された例を示している。
【００５６】
第１の解体用切込線、及び第２の解体用切込線の他の例としては、図９に示すように、例えば、第１の解体用切込線４４を、外側ミシン目４４ａと、前記外側ミシン目４４ａの内側（底面４の中央側）に位置して前記外側ミシン目４４ａの少なくとも一部に沿うように形成された内側ミシン目４４ｂと、により構成される二重ミシン目とし、内側ミシン目４４ｂのカット部が、前記外側ミシン目４４ａのカット部よりも短くなるように形成された切込線を挙げることができる。なお、図９においては、第２の解体用切込線４５も、外側ミシン目４５ａと、外側ミシン目４５ａの少なくとも一部に沿うように形成された内側ミシン目４５ｂと、により構成される二重ミシン目とし、内側ミシン目４５ｂのカット部が、前記外側ミシン目４５ａのカット部よりも短くなるように形成された例を示している。
【００５７】
また、第１の解体用切込線、及び第２の解体用切込線の更に他の例としては、図１０に示すように、第１の解体用切込線４４を、外側ミシン目４４ａと、前記外側ミシン目４４ａの内側（底面４の中央側）に位置する内側ミシン目４４ｂと、により構成される二重ミシン目とし、それぞれのカット部の位置をずらして、又は若干の重ね代を持たせるようにして千鳥状に配置して、それぞれのカット部を交互に行き来しながら切込線が破断されるような構成としてもよい。なお、図１０においては、外側ミシン目４４ａのカット部よりも、内側ミシン目４４ｂのカット部の長さを短くした例を示しているが、それぞれのカット部の長さが同じになるようにしてもよい。図１０においては、第２の解体用切込線４５も、第１の解体用切込線４４と同様に、外側ミシン目４５ａと内側ミシン目４５ｂとにより構成される二重ミシン目とした例を示している。
【００５８】
ここで、図９及び図１０は、本発明の衛生用紙収納用カートンの他の実施形態を示す平面図であり、カートン本体の底面を示す図である。なお、図９及び図１０において、図１に示す衛生用紙収納用カートンの各要素と同様に構成されているものについては、同一の符号を付して説明を省略する。
【００５９】
また、図１〜図３に示す衛生用紙収納用カートン１においては、第１の解体用切込線４４と第２の解体用切込線４５とが、一方の側面６ａ側と他方の側面６ｂ側とで対称となるように構成されたもの、即ち、切込線の全体形状が第１の解体用切込線４４と第２の解体用切込線４５とで対称となり、それぞれの切込線のミシン目の形状やカット部の長さについても、第１の解体用切込線４４と第２の解体用切込線４５とが同じになるように構成された例を示しているが、例えば、第１の解体用切込線と第２の解体用切込線とがそれぞれ異なる形状であってもよいし、また、それぞれの切込線のミシン目の形状やカット部の長さが異なるように構成されたものであってもよい。
【００６０】
例えば、図１１は、第１の解体用切込線４４のミシン目のカット部の長さを、第２の解体用切込線４５のミシン目のカット部の長さよりも短くした例を示している。通常、衛生用紙収納用カートンは、図１１に示すような展開型のカートン１００を用いて、その底面４と一方の側面６（図１１においては、側面６ａ）とを、底面４から延出された接合代（側面接合代３２）によって接合することによって角筒状に組み立てられている。このような側面接合代３２が配置される部位は、部分的に紙材料の厚さが厚くなっており、側面接合代３２が配置される側の稜線（図１１においては、底面−側面稜線３６ａ）近傍は、カートンの構造強度が高くなっている。
【００６１】
解体用切込線を破断させる場合には、カートンの構造強度が高い方が破断が容易である。例えば、カートンの構造強度が低いと、切込線を破断させるために応力を加えた際に、切込線周辺の紙材料が変形してしまうことがあり、応力が分散してしまう。カートンの構造強度が高い場合には、紙材料が変形し難く、応力が分散しないため、より小さな力で切込線を破断させることができる。
【００６２】
このため、上記したように、第１の解体用切込線と第２の解体用切込線とを異なる構成とする場合には、接合代が延出されている側の稜線の両端点を起点とする切込線を比較的破断させ難い構成とし、一方、底面と側面とが、展開型のカートンの状態で折り曲げ線を介して連続している側の稜線の両端点を起点とする切込線をより破断させ易い構成とすることが好ましい。
【００６３】
図１１においては、底面４から側面接合代３２が延出されている側の第１の解体用切込線４４のミシン目のカット部の長さを短くし、第２の解体用切込線４５のミシン目のカット部の長さを、第１の解体用切込線４４と比較して長くなるようにした例を示している。ここで、図１１は、本発明の衛生用紙収納用カートンの他の実施形態を示す図であり、衛生用紙収納用カートンを組み立てる前の展開型のカートンを示す平面図（衛生用紙収納用カートンの展開図）である。
【００６４】
また、本発明の衛生用紙収納用カートンにおいては、上記した第１の解体用切込線と、第２の解体用切込線とが、カートン本体の底面に形成されていることに加えて、第１の解体用切込線や第２の解体用切込線と同様な形状の、第５の解体用切込線及び第６の解体用切込線がカートン本体の上面に形成されていてもよい。
【００６５】
例えば、図１２に示すように、カートン本体の上面２に、この上面２側を解体するための、第５の解体用切込線６４及び第６の解体用切込線６５が形成された展開型のカートン１００を用いて衛生用紙収納用カートンを組み立ててもよい。
【００６６】
第５の解体用切込線６４は、カートン本体（展開型のカートン１００）の上面２に形成され、上面２と一の側面６ａとの稜線６６（上面−側面稜線６６ａ）における両端点を起点ｅ，ｅ’とし、この起点ｅ，ｅ’を繋ぐ切込線である。また、第６の解体用切込線６４は、カートン本体（展開型のカートン１００）の上面２に形成され、上面２と他の側面６ｂとの稜線６６（上面−側面稜線６６ｂ）における両端点を起点ｆ，ｆ’とし、この起点ｆ，ｆ’を繋ぐ切込線である。ここで、図１２は、本発明の衛生用紙収納用カートンの他の実施形態を示す図であり、衛生用紙収納用カートンを組み立てる前の展開型のカートンを示す平面図（衛生用紙収納用カートンの展開図）である。
【００６７】
このように構成することによって、衛生用紙収納用カートンの上面に形成された第５の解体用切込線や第６の解体用切込線を用いてカートンの解体を行うことが可能となり、解体者の利き手や、個人差によらず、どちらの方向からでも簡単に解体を行うことができる。
【００６８】
［１−３］妻面の構成：
上記したように、本発明の衛生用紙収納用カートンは、上面の端縁から稜線を介して延出された上面外フラップと、底面の端縁から稜線を介して延出された底面外フラップとが接合されて妻面が形成されていることが好ましい。こうすることにより、一枚の展開型のカートンから、図１及び図２に示すような衛生用紙収納用カートン１を簡便に組み立てることができる。
【００６９】
このように構成された妻面においては、底面外フラップの先端に上面外フラップとの接合代が付設されたものとすることによって、展開型のカートンの組み立て時における上面外フラップと底面外フラップとの接合に用いる接着剤の量を削減することができる。
【００７０】
更に、使用済みの衛生用紙収納用カートンを解体する際には、まず、この妻面を構成する上面外フラップと底面外フラップとを切り離して妻面側を開放させると、その後の解体作業が容易となる。このため、本発明の衛生用紙収納用カートンにおいては、その接合代と底面外フラップとの間には第３の解体用切込線が形成されており、底面には、この底面と一の妻面との稜線上における二点ｃ，ｄを繋ぐ押込み用切込線が形成され、底面外フラップには、上記二点ｃ，ｄを起点とし、第３の解体用切込線に達する第４の解体用切込線が形成されているものであることが好ましい。
【００７１】
このように構成することによって、上記した妻面解体用切込線（押込み用切込線、第３の解体用切込線、及び第４の解体用切込線）を破断するだけで、例えば、上面外フラップと底面外フラップとを強固に接着している接着剤を引き剥がすことなく、上面外フラップと底面外フラップとを切り離して妻面側を開放させることができる。このため、例えば、年配者、子供、女性のような力の弱い者であっても容易に妻面を開放させることができる。
【００７２】
このような妻面解体用切込線（押込み用切込線、第３の解体用切込線、及び第４の解体用切込線）は、これまでに説明した第１の解体用切込線や第２の解体用切込線と同様に、従来公知の破断線によって形成することができる。なお、図１〜図３に示す衛生用紙収納用カートン１においては、押込み用切込線４８を、外側ミシン目と、前記外側ミシン目の内側に位置して前記外側ミシン目の少なくとも一部に沿うように形成された内側ミシン目と、により構成される二重ミシン目とし、内側ミシン目のカット部が、前記外側ミシン目のカット部よりも短くすることによって形成されており、第３の解体用切込線４６及び第４の解体用切込線５０を一重のミシン目によって形成した例を示している。
【００７３】
また、本発明の衛生用紙収納用カートンにおいては、一対の前記側面のそれぞれの端縁から稜線を介して延出された内フラップを、更に備え、前記内フラップが妻面側に折り曲げられて、その表面に、底面外フラップと上面外フラップとが順次折り重ねられて接合されて妻面が形成されていることが好ましい。
【００７４】
更に、このような内フラップは、その表面の一部が突出した突出部を有し、この突出部は、内フラップの表面に重ねられた底面外フラップの接合代に直線状に配置され、底面外フラップの接合代と内フラップの突出部とが、上面外フラップに対する接合部を形成していることが好ましい。
【００７５】
従来、このような内フラップを備えた衛生用紙収納用カートンにおいては、底面外フラップと上面外フラップとの一部を重なり合うようにして接合させて妻面を形成する際に、上面外フラップの裏面に付着させた接着剤によって底面外フラップ（具体的には、底面外フラップの接合代）とともに内フラップを接合させて妻面を形成している。しかし、この方法では、底面外フラップの厚み分だけ、内フラップと底面外フラップとに段差ができてしまい、内フラップが上面外フラップにしっかりと接合されないことがあった。
【００７６】
上記したように、内フラップに突出部を形成することによって、内フラップと底面外フラップとの段差を少なくし、更に、底面外フラップの接合代と内フラップの突出部とが直線状に配置されるように構成することによって、底面外フラップの接合代から内フラップの突出部にかけて一直線に接着剤を付着させて、上面外フラップとの接合を良好に行うことが可能となる。なお、妻面を形成する際の接着剤の量を削減することも可能となる。
【００７７】
なお、図３においては、一対の側面６のそれぞれの端縁から稜線を介して延出された各内フラップ２６がそれぞれ突出部５６を有しており、この内フラップ２６を妻面側に折り曲げ、折り曲げた内フラップ２６の表面に底面外フラップ３０を重ね合わせた際に、底面外フラップ３０の接合代３４に対して、それぞれの突出部５６が直線状に配置されるように構成された例を示している。
【００７８】
なお、内フラップの突出部の厚さ（高さ）は、底面外フラップの厚さ（即ち、展開型のカートンを構成する紙材料の厚さ）と同程度とすることが好ましい。このように構成することによって、内フラップの突出部と底面外フラップの接合代との段差を無くすことができ、上面外フラップを、内フラップの突出部と底面外フラップの接合代との双方に強固に接合させることができる。
【００７９】
なお、このような内フラップの突出部は、例えば、カートン用紙（多層構造を有する厚紙）を所要の展開形状に打ち抜いて展開型のカートンを形成する際に、上記内フラップの突出部を形成する部位に凹凸を設けた抜き型を用いて、打ち抜き時の面圧によって、展開型のカートンと同時に形成することができる。
【００８０】
［１−４］取出口形成用切込線：
「取出口形成用切込線」とは、衛生用紙の取出口を形成するために、取出口の外周形状と一致するように形成された切込線である。使用者は、この取出口形成用切込線を破断することによって取出口を形成することができ、その取出口から衛生用紙を取り出すことが可能となる。
【００８１】
衛生用紙の取出口の外周形状について特に制限はなく、カートン本体や衛生用紙の形状に応じて適宜選択すればよい。但し、カートン本体として直方体状のものが多く用いられるため、その取出口の形状はカートン本体の長手方向に沿った横長形状とすることが好ましい。従って、取出口の外周形状としては、例えば、略長方形状、略長円形状、長楕円形状、菱形状、又は多角形状等の形状を挙げることができる。例えば、図１〜図３に示す衛生用紙収納用カートン１は、略長方形状の取出口形成用切込線１４が形成されている例である。
【００８２】
取出口形成用切込線は、通常、図１〜図３に示す衛生用紙収納用カートン１のように、カートン本体１６の上面２に形成されることが多いが、特にそのような制限があるわけではない。例えば、カートン本体の上面以外の他の面に形成されていてもよい。また、取出口形成用切込線は一の面のみに形成されていなければならないわけではなく、二以上の面（例えば、上面と底面）に形成されていてもよい。
【００８３】
なお、取出口形成用切込線によって包囲された部分（切取片となる部分）には、取出口形成用切込線の二点を繋ぐように、引剥がし用切込線が形成されていてもよい。このような切込線を形成することで、切取片の引き剥がしが容易となる利点がある。例えば、図１〜図３に示す衛生用紙収納用カートン１は、略長方形状の取出口形成用切込線１４の端部側に、略Ｕ字状の引剥がし用切込線５２が形成されている例である。
【００８４】
上記の取出口用切込線、引剥がし用切込線は、これまでに説明した第１の解体用切込線や第２の解体用切込線と同様に、従来公知の破断線によって形成することができる。例えば、図１〜図３に示す衛生用紙収納用カートン１は、取出口形成用切込線１４のうち、引剥がし用切込線５２より内側の部分を、二重線のミシン目とした例である。
【００８５】
また、本発明の衛生用紙収納用カートンにおいては、底面に一対の押上片を形成するための押上片形成用切込線を形成することも好ましい形態の一つである。カートン本体に収納された衛生用紙の残量が少なくなった際に、底面に形成された押上片形成用切込線を押圧して押し破り、カートン本体の内側に折り曲げることによって、一対の押上片を形成する。この押上片によって、カートン本体内部の衛生用紙が上面側に押し上げられるので、上面の取出口から衛生用紙の最後の一枚まで、安定してポップアップさせることが可能である。例えば、図１〜図３に示す衛生用紙収納用カートン１は、底面４の中央部にＵ字状の押上片形成用切込線５４が一対形成された例である。なお、この押上片形成用切込線５４は、外側ミシン目と、前記外側ミシン目の内側に位置して前記外側ミシン目の少なくとも一部に沿うように形成された内側ミシン目と、により構成される二重ミシン目とし、内側ミシン目のカット部が、前記外側ミシン目のカット部よりも短くすることによって形成されている。
【００８６】
［１−５］ウインドウフィルム：
本発明の衛生用紙収納用カートンは、取出口をカートン本体の内側から被覆するように配置され、衛生用紙を取り出すためのスリットが形成されたウインドウフィルムを更に備えたものであることが好ましい。
【００８７】
「ウインドウフィルム」とは、取出口をカートン本体の内側から被覆するように配置され、衛生用紙を取り出すためのスリットが形成されたフィルム材である。取出口の内側からウインドウフィルムを貼り付けると、外部の塵や異物から衛生用紙を保護することができる。また、衛生用紙を外部に取出す際に、ウインドウフィルムに形成されたスリット間の摩擦により、ポップアップした衛生用紙がカートンの内部に落ち込むことが防止され、衛生用紙を取出口から突出させた状態で保持することが可能となる。
【００８８】
［１−５Ａ］フィルム：
「フィルム」とは薄膜状の部材である。その構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００８９】
「生分解性プラスチック」とは、バクテリアをはじめとする微生物、或いは酵素等の作用によって分解されるプラスチックを意味する。具体的には、ポリグリコール酸、ポリ乳酸等のポリ（α−ヒドロキシ酸）；ポリ（ε−カプロラクトン）、ポリ（β−プロキオラクトン）等のポリラクトン類；ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート、ポリ−３−ヒドロキシバリレート、ポリ−４−ヒドロキシブチレート等のポリ（α−ヒドキシアルカノエート）；ポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンセバケート、ポリヘキサメチレンセバケート、ポリネオペンチルオキサレート等のグリコールとカルボン酸の縮重合体；等を挙げることができる。これらのプラスチックを構成する重合体は単独重合体に限られず共重合体であってもよい。また、生分解性に影響を与えない範囲で、ウレタン結合、アミド結合、エーテル結合等を有する重合体であってもよい。
【００９０】
上記フィルムには、透明フィルム、半透明フィルム、不透明フィルム、着色フィルムのいずれもが含まれる。また、文字や模様等が印刷されたフィルムであってもよい。また、フィルムの形状は、カートン本体の取出口を被覆することができる限りにおいて、どのような形状のものであってもよい。但し、取出口の形状として横長形状のものが汎用されることから、図１〜図３に示す衛生用紙収納用カートン１のように、長方形状のフィルムを用いることが好ましい。
【００９１】
更に、本発明の衛生用紙収納用カートンにおいては、ウインドウフィルムは、長方形状に構成され、その短辺方向への引っ張り強度に比して、その長辺方向への引っ張り強度が高いものであり、短辺が妻面に沿い、長辺が側面に沿うように、カートン本体の内側に貼り付けられていることが好ましい。
【００９２】
例えば、ポリエチレン、ポリプロピレン等の直鎖状ポリマーからなるプラスチックを一定方向に延伸した延伸フィルムにおいては、直鎖高分子を延伸方向に分子鎖が配向するため、延伸方向の引っ張り強度が強くなる。このような延伸フィルムをウインドウフィルムに使用した場合等には、図１〜図３に示す衛生用紙収納用カートン１のように、ウインドウフィルム２０を長方形状に構成し、その短辺が妻面８に沿い、長辺が側面６に沿うように、カートン本体１６の内側に貼り付けると、一の妻面８側から他の妻面８側に向かってウインドウフィルム２０を引き剥がすことにより、ウインドウフィルム２０が途中で破断されることなく、綺麗に剥がすことが可能となる。
【００９３】
［１−５Ｂ］スリット：
「スリット」とは、ウインドウフィルムを貫通する切れ目である。衛生用紙収納用カートン内に収納されたティシュペーパーをはじめとする衛生用紙は、このスリットを通してカートンの外部へ引き出される。例えば、図１〜図３に示す衛生用紙収納用カートン１は、ウインドウフィルム２０の中央部に直線状のスリット１８を形成した例である。
【００９４】
カートン本体とウインドウフィルムとは、接着部によって接着されている。即ち、ウインドウフィルムは、上記接着部によってカートン本体の内側に貼り付けられている。接着部は、ウインドウフィルムをカートン本体に貼り付けることができる限りにおいて、その形成方法は特に限定されるものではない。例えば、接着剤、両面テープ、熱融着等の方法によって、接着部を形成することができる。なお、接着部は着色されたものであってもよい。例えば、着色された接着剤等を用いて接着部を形成することによって、接着部の位置が容易に視認できるようになり、カートンの製造が容易になるという利点がある。
【００９５】
また、本発明の衛生用紙収納用カートンにおいては、接着部は取出口を包囲する環状に配置されていることが必要である。ここにいう「環状」とは、ある領域を区画するように、線が連続的に結ばれた形状を意味し、一の曲線が連続的に結ばれた形状のみならず、いくつかの直線が連続的に結ばれた形状も含む。具体的には、略長方形状、略長円形状、長楕円形状、長方形状、菱形状、又は多角形状等を挙げることができる。例えば、図１〜図３に示す衛生用紙収納用カートン１は、接着部２２を取出口を包囲する長方形状に配置した例である。
【００９６】
［２］製造方法：
本発明の衛生用紙収納用カートンの製造方法を、図１〜図３に示す衛生用紙収納用カートン１の例により説明する。まず、衛生用紙収納用カートンを形成するための展開型のカートンを一枚の紙材料から切り出して形成する。この展開型のカートンは、図４に示すような展開型のカートン１００であり、折り曲げ線を介して上面２、底面４、一対の側面６（６ａ，６ｂ）が形成され、側面６の端縁からは、折り曲げ線を介して内フラップ２６が延出されている。また、上面２の端縁からは、折り曲げ線を介して上面外フラップ２８が延出されており、これと同様に、底面４の端縁からは、折り曲げ線を介して底面外フラップ３０が延出されている。更に、底面４の一の側縁部からは、折り曲げ線を介して、側面接合代３２が延出されており、底面外フラップ３０の先端には上面外フラップ２８との接合代である妻面接合代３４が付設されている。
【００９７】
本発明の衛生用紙収納用カートンの製造方法においては、このような展開型のカートン１００の底面に、展開型のカートン１００を組み立てた際における底面４と一の側面６ａとの稜線３６ａにおける両端点を起点ａ，ａ’とする第１の解体用切込線４４と、底面４と他の側面６ｂとの稜線３６ｂにおける両端点を起点ｂ，ｂ’とする第２の解体用切込線４５とを形成する。
【００９８】
また、展開型のカートン１００の上面２には、取出口の外周形状と一致するような取出口形成用切込線１４を形成し、更に、必要に応じて、底面４の中央部に押上片形成用切込線５４を形成し、また、妻面の解体を行うための切込線として、第３の解体用切込線４６、押込み用切込線４８、及び第４の解体用切込線５０をそれぞれ形成する。また、内フラップ２６の突出部５６を形成する部位に凹凸を設けた抜き型を用いて、内フラップ２６に突出部５６を形成してもよい。
【００９９】
次に、この展開型のカートン１００の取出口形成用切込線１４を包囲する位置に、ウインドウフィルム２０を接着するための接着剤を付着させる。更に、接着剤が乾燥する前に、予めスリット１８が形成されたウインドウフィルム２０を所定の位置に配置して貼り付ける。
【０１００】
その後、展開型のカートン１００を折り曲げ線に沿って折り曲げ、側面６と底面４の側面接合代３２とを重ね合わせ、その重なり部分を接着剤によって接着することによって妻面８側が開放された角筒状とする。次いで、角筒状の展開型のカートンの内部空間に衛生用紙が積層された衛生用紙束を装填する。更に、一対の内フラップ２６を折り曲げ線に沿って折り曲げた後、上面外フラップ２８と底面外フラップ３０をその一部が互いに重なり合うように折り曲げ、その重なり部分を接着剤等によって接着することによって、一対の妻面８を形成する。このようにして、本発明の衛生用紙収納用カートン１を製造することができる。
【産業上の利用可能性】
【０１０１】
本発明の衛生用紙収納用カートンは、ティシュペーパー、キッチンペーパー等のペーパータオル、シート状のトイレットペーパー、ワッティング（紙綿）等の衛生用紙を収納するためのカートンとして好適に用いることができる。
【図面の簡単な説明】
【０１０２】
【図１】本発明の衛生用紙収納用カートンの一の実施形態を示す斜視図であり、カートン本体の底面を上に向けた図である。
【図２】本発明の衛生用紙収納用カートンの一の実施形態を示す斜視図であり、カートン本体の上面を上に向けた図である。
【図３】本発明の衛生用紙収納用カートンの一の実施形態の一例を示す図であり、衛生用紙収納用カートンを組み立てる前の展開型のカートンを示す平面図である。
【図４】本発明の衛生用紙収納用カートンを解体する工程を示す斜視図である。
【図５】本発明の衛生用紙収納用カートンを解体する工程を示す別の斜視図である。
【図６】本発明の衛生用紙収納用カートンを解体する工程を示す別の斜視図である。
【図７】本発明の衛生用紙収納用カートンの他の実施形態を示す斜視図であり、カートン本体の底面を上に向けた図である。
【図８】本発明の衛生用紙収納用カートンの他の実施形態を示す斜視図であり、カートン本体の底面を上に向けた図である。
【図９】本発明の衛生用紙収納用カートンの他の実施形態を示す平面図であり、カートン本体の底面を示す図である。
【図１０】本発明の衛生用紙収納用カートンの他の実施形態を示す平面図であり、カートン本体の底面を示す図である。
【図１１】本発明の衛生用紙収納用カートンの他の実施形態の一例を示す図であり、衛生用紙収納用カートンを組み立てる前の展開型のカートンを示す平面図である。
【図１２】本発明の衛生用紙収納用カートンの他の実施形態の一例を示す図であり、衛生用紙収納用カートンを組み立てる前の展開型のカートンを示す平面図である。
【図１３】従来のティシュペーパー収納箱を示す斜視図である。
【符号の説明】
【０１０３】
１，１１０，１２０：衛生用紙収納用カートン、２：上面、４：底面、６：側面、８：妻面、１４：取出口形成用切込線、１６：カートン本体、１８：スリット、２０：ウインドウフィルム、２２：接着部、２６：内フラップ、２８：上面外フラップ、３０：底面外フラップ、３２：接合代（側面接合代）、３４：接合代（妻面接合代）、３６，３６ａ，３６ｂ：稜線（底面−側面稜線）、４４：第１の解体用切込線、４５：第２の解体用切込線、４６：第３の解体用切込線、４８：押込み用切込線、５０：第４の解体用切込線、５２：引剥がし用切込線、５４：押上片形成用切込線、５６：突出部、６４：第５の解体用切込線、６５：第６の解体用切込線、６６，６６ａ，６６ｂ：：稜線（上面−側面稜線）、１００：展開型のカートン、１２０：ティッシュペーパー収納箱、１２１：上面、１２２：底面、１２３：側面、１２４：取出口、１２５ａ，１２５ｂ：外フラップ、１２６ａ，１２６ｂ：折り曲げ線、１２８：解体用ミシン線、ａ，ａ’，ｂ，ｂ’，ｃ，ｄ，ｅ，ｅ’，ｆ，ｆ’：起点、ｇ：接着剤。
【図１】
2008273532.tif 000003
【図２】
2008273532.tif 000004
【図３】
2008273532.tif 000005
【図４】
2008273532.tif 000006
【図５】
2008273532.tif 000007
【図６】
2008273532.tif 000008
【図７】
2008273532.tif 000009
【図８】
2008273532.tif 000010
【図９】
2008273532.tif 000011
【図１０】
2008273532.tif 000012
【図１１】
2008273532.tif 000013
【図１２】
2008273532.tif 000014
【図１３】
2008273532.tif 000015